(57)【特許請求の範囲】
【請求項１】
互いに別体又は一体に設けられた第１及び第２絶縁カバー本体（１１，１２）からなり、輪状ステータコア（１）の両面で該輪状ステータコア（１）とステータ巻線（２）とを互いに電気的に絶縁するレゾルバの絶縁カバー構造であって、
前記第１及び第２絶縁カバー本体（１１，１２）に設けられ、前記輪状ステータコア（１）に取り付けられる絶縁輪状体（１３）と、
前記絶縁輪状体（１３）の周方向（Ｂ）に互いに間隔を置いて前記絶縁輪状体（１３）から内方に向けて突出し、前記輪状ステータコア（１）の磁極と前記ステータ巻線（２）との間に介在される複数の磁極カバー（１５）と、
前記各磁極カバー（１５）間で前記絶縁輪状体（１３）の端面（１３ａ）から前記絶縁輪状体（１３）の軸方向（Ａ）に突出し、前記磁極間を渡される前記ステータ巻線（２）の渡り線部（２ａ）が掛けられる渡りピン（１６）と
を備え、
前記絶縁輪状体（１３）の前記各磁極カバー（１５）間には、前記磁極カバー（１５）間で前記絶縁輪状体（１３）の周方向（Ｂ）に延在されるとともに、前記絶縁輪状体（１３）の端面（１３ａ）から前記絶縁輪状体（１３）の軸方向（Ａ）に突出された突出部（１７）が設けられており、前記軸方向（Ａ）に沿う前記突出部（１７）の端面は、前記渡りピン（１６）に掛けられた前記渡り線部（２ａ）に近接又は接触するように設けられていることを特徴とするレゾルバの絶縁カバー構造。
【請求項２】
前記絶縁輪状体（１３）の周方向（Ｂ）に沿う前記突出部（１７）の両側部（１７ａ）は、Ｒ形状とされていることを特徴とする請求項１記載のレゾルバの絶縁カバー構造。
【発明の詳細な説明】
【技術分野】
【０００１】
本発明は、レゾルバの絶縁カバー構造に関し、特に、渡りピンに掛けられた渡り線部に近接又は接触するように絶縁輪状体から絶縁輪状体の端面から軸方向に突出された突出部を絶縁輪状体の各磁極カバー間に設けることで、ワニスが渡りピンに吸い寄せられた場合でも、ステータ巻線の渡り線部をワニスでより確実に覆うことができ、浮き線が発生する可能性を低くできるようにするための新規な改良に関するものである。
【背景技術】
【０００２】
従来用いられていたこの種のレゾルバの絶縁カバー構造としては、例えば特許文献１等に示されているレゾルバの絶縁カバー構造が用いられている。図５は、従来のレゾルバの絶縁カバー構造を示す断面図である。図において、輪状ステータコア１の磁極（図示せず）には、ステータ巻線２が巻回されている。また、輪状ステータコア１の両面には、樹脂で形成された第１及び第２絶縁カバー本体１１，１２が取り付けられている。これら第１及び第２絶縁カバー本体１１，１２は、前記輪状ステータコア１と前記ステータ巻線２との間に介在され、前記輪状ステータコア１の両面で前記輪状ステータコア１とステータ巻線２とを互いに電気的に絶縁している。なお、第１及び第２絶縁カバー本体１１，１２は、互いに別体に設けられ前記輪状ステータコア１を挟むように前記輪状ステータコア１に取り付けられる場合と、インサート成形により前記輪状ステータコア１とともに互いに一体に形成される場合とがある。
【０００３】
前記ステータ巻線２は、前記磁極間を渡るように配線されており、このステータ巻線２の磁極間を渡る部分を渡り線部２ａと呼ぶ。前記第１絶縁カバー本体１１には、前記磁極間の位置に、前記第１絶縁カバー本体１１の端面１１ａから軸方向Ａに沿って突出する渡りピン１６が設けられている。前記渡り線部２ａは、この渡りピン１６に少なくとも半ターンは掛けられている。
【０００４】
【特許文献１】特開２００４−１３５４２９号公報
【発明の開示】
【発明が解決しようとする課題】
【０００５】
ところで、図６に示すように、ポッティングにより前記ステータ巻線２にワニス５を含浸させるが、前記渡りピン１６にワニス５が吸い寄せられることがある。上記のような従来のレゾルバの絶縁カバー構造では、前記渡りピン１６周辺の絶縁カバー本体１１の端面１１ａと渡り線部２ａとが離れているので、渡りピン１６にワニス５が吸い寄せられ、渡りピン１６周辺のワニス５が減ると、渡り線部２ａをワニス５で覆うことができず、浮き線が発生することがある。浮き線が発生すると、熱収縮により断線が発生しやすくなる。このため、浮き線発生部分にワニス５を注ぎ足す作業が必要となり、生産性が悪化している。
【０００６】
本発明は、上記のような課題を解決するためになされたものであり、その目的は、磁極間のステータ巻線をより確実にワニスで覆うことができ、浮き線が発生する可能性を低くできるレゾルバの絶縁カバー構造を提供することである。
【課題を解決するための手段】
【０００７】
本発明に係るレゾルバの絶縁カバー構造は、互いに別体又は一体に設けられた第１及び第２絶縁カバー本体からなり、輪状ステータコアの両面で該輪状ステータコアとステータ巻線とを互いに電気的に絶縁するレゾルバの絶縁カバー構造であって、前記第１及び第２絶縁カバー本体に設けられ、前記輪状ステータコアに取り付けられる絶縁輪状体と、前記絶縁輪状体の周方向に互いに間隔を置いて前記絶縁輪状体から内方に向けて突出し、前記輪状ステータコアの磁極と前記ステータ巻線との間に介在される複数の磁極カバーと、前記各磁極カバー間で前記絶縁輪状体の端面から前記絶縁輪状体の軸方向に突出し、前記磁極間を渡される前記ステータ巻線の渡り線部が掛けられる渡りピンとを備え、前記絶縁輪状体の前記各磁極カバー間には、前記磁極カバー間で前記絶縁輪状体の周方向に延在されるとともに、前記絶縁輪状体の端面から前記絶縁輪状体の軸方向に突出された突出部が設けられており、前記軸方向に沿う前記突出部の端面は、前記渡りピンに掛けられた前記渡り線部に近接又は接触するように設けられている。
また、前記絶縁輪状体の周方向に沿う前記突出部の両側部は、Ｒ形状とされている。
【発明の効果】
【０００８】
本発明のレゾルバの絶縁カバー構造によれば、突出部は、渡りピンに掛けられた渡り線部に近接又は接触するように絶縁輪状体の端面から前記絶縁輪状体の軸方向に突出されているので、渡りピンにワニスが吸い寄せられた場合でも、より確実に渡り線部をワニスで覆うことができ、浮き線が発生する可能性を低くできる。これにより、浮き線部分の断線の発生を防ぐことができ、信頼性を向上できる。また、浮き線発生部分にワニスを注ぎ足す作業を不要とでき、生産性を向上できる。
また、突出部の両側部がＲ形状とされているので、該両側部に接触してもステータ巻線に傷が付きにくく、断線発生の可能性をより確実に低くできる。
【発明を実施するための最良の形態】
【０００９】
以下、本発明を実施するための最良の形態について、図面を参照して説明する。
実施の形態１．
図１は本発明の実施の形態１によるレゾルバの絶縁カバー構造を示す断面図であり、図２は図１の第１絶縁カバー本体１１を示す斜視図であり、図３は図２の渡りピン１６周辺を示す平面図である。なお、従来の品物と同一又は同等部分については同一の符号を用いて説明する。図１において、輪状ステータコア１の磁極（図示せず）には、ステータ巻線２が巻回されている。また、輪状ステータコア１の両面には、第１及び第２絶縁カバー本体１１，１２が設けられている。これら第１及び第２絶縁カバー本体１１，１２は、互いに別体として設けられており、前記輪状ステータコア１を挟むように該輪状ステータコア１に取り付けられている。なお、この実施の形態では別体として説明するが、第１及び第２絶縁カバー本体１１，１２は、インサート成形により前記輪状ステータコア１とともに互いに一体に形成されてもよい。
【００１０】
図２に示すように、第１絶縁カバー本体１１には、絶縁輪状体１３と、輪状壁１４と、磁極カバー１５と、渡りピン１６とが設けられている。前記絶縁輪状体１３は、全体として輪状に形成されており、前記輪状ステータコア１の輪状基部に取り付けられる部位である。輪状壁１４は、前記絶縁輪状体１３の外縁に立設されている。磁極カバー１５は、前記絶縁輪状体１３の周方向Ｂに互いに間隔を置いて前記絶縁輪状体１３から内方に向けて突出し、前記輪状ステータコア１の磁極と前記ステータ巻線２との間に介在される。前記第２絶縁カバー本体１２にも、該第１絶縁カバー本体１１と同様に、絶縁輪状体１３と、輪状壁１４と、磁極カバー１５と、渡りピン１６とが設けられている。すなわち、これら第１及び第２絶縁カバー本体１１，１２は、前記輪状ステータコア１の両面で、該輪状ステータコア１と前記ステータ巻線２とを互いに電気的に絶縁している。
【００１１】
図１に戻り、ステータ巻線２は、磁極間を渡るように配線されており、この磁極間を渡る部分を渡り線部２ａと呼ぶ。ここで、前記第１絶縁カバー本体１１には、前記磁極間の位置に、前記絶縁輪状体１３の端面１３ａから前記絶縁輪状体１３の軸方向Ａに突出する渡りピン１６が設けられている（図１及び図３参照）。前記渡り線部２ａは、前記渡りピン１６に少なくとも半ターンは掛けられている。
【００１２】
また、図１及び図３に示すように、前記絶縁輪状体１３の前記各磁極カバー１５間には、前記磁極カバー１５間で前記絶縁輪状体１３の周方向Ｂに延在され、前記渡りピン１６に掛けられた前記渡り線部２ａに近接するように前記絶縁輪状体１３の端面１３ａから前記絶縁輪状体１３の軸方向Ａに突出された突出部１７が設けられている。なお、突出部１７は、前記渡り線部２ａに接触されてもよい。
【００１３】
前記絶縁輪状体１３の周方向Ｂに沿う前記突出部１７の両側部１７ａは、Ｒ形状とされている。すなわち、両側部１７ａは、曲面で構成されている。また、前記渡りピン１６の突出量は、前記突出部１７の突出量よりも大きい。さらに、図３に示すように、突出部１７は、前記絶縁輪状体１３の内径側から外径側まで、前記絶縁輪状体１３の径方向Ｃに沿って延在されている。
【００１４】
次に、突出部１７の作用について説明する。図４は、図１のレゾルバの絶縁カバー構造でのワニス含浸状態を示す説明図である。図において、ポッティングによりステータ巻線２にワニス５が含浸され、渡り線部２ａにワニス５が供給される。このとき、渡りピン１６周辺のワニス５が渡りピン１６に吸い寄せられ、渡りピン１６周辺のワニス５が減るが、突出部１７が渡り線部２ａに近接するように設けられているので、該ワニス５が減ったとしても渡り線部２ａをワニス５で覆うことができ、浮き線が発生する可能性を低くできる。これにより、浮き線部分の断線の発生を防ぐことができ、信頼性を向上できる。また、浮き線発生部分にワニス５を注ぎ足す作業を不要とでき、生産性を向上できる。
【００１５】
また、突出部１７を設けることで、配線時にステータ巻線２が突出部１７の側部１７ａに接触する可能性があるが、両側部１７ａがＲ形状とされているので、該両側部１７ａに接触してもステータ巻線２に傷が付きにくく、断線発生の可能性をより確実に低くできる。
【図面の簡単な説明】
【００１６】
【図１】本発明の実施の形態１によるレゾルバの絶縁カバー構造を示す断面図である。
【図２】図１の第１絶縁カバー本体を示す斜視図である。
【図３】図２の渡りピン周辺を示す平面図である。
【図４】図１のレゾルバの絶縁カバー構造でのワニス含浸状態を示す説明図である。
【図５】従来のレゾルバの絶縁カバー構造を示す断面図である。
【図６】図５のレゾルバの絶縁カバー構造でのワニス含浸状態を示す説明図である。
【符号の説明】
【００１７】
１  輪状ステータコア
２  ステータ巻線
２ａ  渡り線部
１１，１２  第１及び第２絶縁カバー本体
１３  絶縁輪状体
１５  磁極カバー
１６  渡りピン
１７  突出部
１７ａ  側部
【図１】
0005223057.tif 000002
【図２】
0005223057.tif 000003
【図３】
0005223057.tif 000004
【図４】
0005223057.tif 000005
【図５】
0005223057.tif 000006
【図６】
0005223057.tif 000007